(57)【特許請求の範囲】
【請求項１】
アンテナを保持するアンテナ保持具が、ベースに設けられたブラケットに回転自在に取付けられ、前記アンテナ保持具、前記ブラケットのいずれかに前記アンテナ保持具の回転中心と同心の円弧孔が穿設され、該円弧孔を通して設けられ、前記アンテナ保持具、前記ブラケットのいずれかに螺着される固定ボルトにより、前記アンテナ保持具と前記ブラケットとが固定され、前記固定ボルトはボルト頭部を兼ねるハンドル収納部を有し、該ハンドル収納部の基端面から前記固定ボルト先端に向かって該ハンドル収納部と同心のハンドル収納穴が穿設され、該ハンドル収納穴にハンドルが摺動自在に収納され、前記ハンドル収納部には軸心方向に長いスリット孔が穿設され、前記ハンドルの先端側にピン、基側に出入り可能なプランジャが突設され、前記ハンドル収納状態では、前記ピンが前記スリット孔の先端に位置すると共にプランジャが基端に位置し、前記ハンドルを引出した状態では、前記ピンが前記スリット孔の基端に位置し、前記ハンドルは前記ピンを中心に回転し、Ｌ字状に屈曲され、前記スリット孔の基端は、前記ベースの端部よりも外方に突出することを特徴とする電子機器取付け装置。
【発明の詳細な説明】
【技術分野】
【０００１】
本発明はアンテナ等、取付け姿勢の調整を必要とする電子機器を取付ける為の電子機器取付け装置に関するものである。
【背景技術】
【０００２】
無線機のアンテナ、或はアンテナを内蔵している電子機器では、アンテナが電波に対して適正な姿勢となる様に設置する必要があり、アンテナは電波を受信する適正な位置、通常は高い位置に設置される。アンテナが、車載される無線機に用いられるアンテナである場合は、車の天井に設置され、又移動の度にアンテナの取付け、姿勢の調整を行う必要がある。
【０００３】
従来、アンテナの姿勢調整、取付け作業は所要の工具を用いて、ボルトの着脱等手作業で行われており、煩雑であり、更に高所での作業となり作業性が悪く、又危険な作業となる場合もあった。
【０００４】
尚、車載無線機のアンテナでは、車内から電動による遠隔操作で、アンテナの姿勢調整を行うことも考えられるが、メンテナンス、故障等が考慮され、手作業による姿勢調整機構も具備されるのが通常となっており、高価な装置となる。
【発明の開示】
【発明が解決しようとする課題】
【０００５】
本発明は斯かる実情に鑑み、手作業で簡単にアンテナ等電子機器の姿勢調整が可能な電子機器取付け装置を提供するものである。
【課題を解決するための手段】
【０００６】
本発明は、アンテナを保持するアンテナ保持具が、ベースに設けられたブラケットに回転自在に取付けられ、前記アンテナ保持具、前記ブラケットのいずれかに前記アンテナ保持具の回転中心と同心の円弧孔が穿設され、該円弧孔を通して設けられ、前記アンテナ保持具、前記ブラケットのいずれかに螺着される固定ボルトにより、前記アンテナ保持具と前記ブラケットとが固定され、前記固定ボルトは引出し可能なハンドルを有し、該ハンドルは引出し状態で回転して前記固定ボルトの先端に形成された凹部に嵌合しＬ字状に屈曲される電子機器取付け装置に係るものである。
【発明の効果】
【０００７】
本発明によれば、アンテナを保持するアンテナ保持具が、ベースに設けられたブラケットに回転自在に取付けられ、前記アンテナ保持具、前記ブラケットのいずれかに前記アンテナ保持具の回転中心と同心の円弧孔が穿設され、該円弧孔を通して設けられ、前記アンテナ保持具、前記ブラケットのいずれかに螺着される固定ボルトにより、前記アンテナ保持具と前記ブラケットとが固定され、前記固定ボルトは引出し可能なハンドルを有し、該ハンドルは引出し状態で回転して前記固定ボルトの先端に形成された凹部に嵌合しＬ字状に屈曲されるので、大きなトルクで締込みが可能であり、更に前記ハンドルは前記固定ボルトの一部であり、ハンドル収納穴内に収納され、アンテナ固定後は邪魔にならず、又何時でも使用ができ、別途工具を必要としない等の優れた効果を発揮する。
【発明を実施するための最良の形態】
【０００８】
以下、図面を参照しつつ本発明を実施する為の最良の形態を説明する。
【０００９】
図１〜図４は本発明に係る電子機器取付け装置を示し、図５、図６は該電子機器取付け装置に使用されるボルトを示している。
【００１０】
図１〜図４に於いて、１は電子機器、例えばアンテナを設置する場所に固定されるベースを示し、該ベース１に所要の間隔を明けて一対のブラケット２ａ，２ｂが立設され、回転軸３が前記ブラケット２ａ，２ｂを貫通して設けられている。前記回転軸３にアンテナ保持具４が回転自在に設けられ、該アンテナ保持具４の先端部５には半円柱状の保持溝６が形成され、又前記先端部５にはアンテナ保持片７がボルト等の固着具により着脱可能となっている。該アンテナ保持片７の前記アンテナ保持具４の対峙面には、前記保持溝６と同形状の保持溝８が形成されている。
【００１１】
アンテナ支柱９は、前記保持溝６と前記保持溝８で形成される保持孔に嵌合し、前記先端部５と前記アンテナ保持片７とで挾持され、アンテナ本体（図示せず）は前記アンテナ支柱９を介して前記アンテナ保持具４に保持される様になっている。
【００１２】
前記ブラケット２ａ，２ｂの一方、例えばブラケット２ａには前記回転軸３を中心とした円弧孔１２が穿設されており、該円弧孔１２の中心角は所要角度、例えば９０度となっている。他方のブラケット２ｂには、前記円弧孔１２の始端、終端位置と合致した位置に、螺子孔２２ａ，２２ｂがそれぞれ穿設されている。又、前記アンテナ保持具４にはボルト通孔（図示せず）が穿設され、前記円弧孔１２を貫通した固定ボルト１１が前記通孔を貫通する様になっている。又、前記固定ボルト１１は前記円弧孔１２の始端、終端でそれぞれ前記螺子孔２２ａ，２２ｂと螺合可能となっており、前記固定ボルト１１は前記円弧孔１２に対して摺動自在となっている。
【００１３】
而して、前記アンテナ保持具４は、前記固定ボルト１１を緩め、前記ブラケット２ｂから引抜いた状態で、前記回転軸３を中心に回転自在となり、前記アンテナ支柱９を倒伏した状態で、前記固定ボルト１１を始端の前記螺子孔２２ａに螺着することで、前記アンテナ支柱９を倒伏状態に固定でき、該アンテナ支柱９を起立した状態で、前記固定ボルト１１を終端の前記螺子孔２２ｂに螺着することで、前記アンテナ支柱９を起立状態に固定できる。
【００１４】
前記固定ボルト１１について説明する。
【００１５】
該固定ボルト１１はボルト本体１３とハンドル１４によって主に構成される。
【００１６】
前記ボルト本体１３は、先端部にネジ部１５が形成され、基部には所要の軸長を有するハンドル収納部１６が形成されている。前記ネジ部１５は前記ブラケット２ｂに螺合し、前記ハンドル収納部１６は太径となっておりボルト頭部として機能する。又、前記ハンドル収納部１６に、又は該ハンドル収納部１６から前記ボルト本体１３に掛渡ってハンドル収納穴１７が同心に穿設され、該ハンドル収納穴１７には前記ハンドル１４が摺動自在に嵌入される。
【００１７】
該ハンドル１４はロッド部１４ａとフランジ部１４ｂとを具備し、前記ロッド部１４ａが前記ハンドル収納穴１７に摺動自在に嵌合し、前記フランジ部１４ｂは前記ハンドル収納部１６と同一の外径を有し、前記ロッド部１４ａが完全に前記ハンドル収納穴１７に収納された状態で、前記フランジ部１４ｂが前記ハンドル収納部１６の端面に当接する様になっている。
【００１８】
該ハンドル収納部１６の先端部にはＵ字状の凹部１８，１８（一方は図示せず）が直径方向に沿って形成され、前記ハンドル収納穴１７を前記凹部１８，１８とは９０度異なる直径方向に貫通するスリット孔１９が穿設され、該スリット孔１９の一端は前記凹部１８の中心位置に達している。
【００１９】
前記ロッド部１４ａの先端にはピン２０が直径方向に貫設され、該ピン２０の両端部は前記スリット孔１９に摺動自在に嵌合する。又前記ロッド部１４ａの基部にはプランジャ２１が出入り可能に設けられ、該プランジャ２１は図示しないスプリングにより突出方向に付勢されている。
【００２０】
前記プランジャ２１は前記ハンドル１４が前記ハンドル収納穴１７に完全に収納された状態で、前記プランジャ２１が前記スリット孔１９の先端部に嵌合し、前記ハンドル１４を完全に引出した状態では、前記スリット孔１９の先端部に前記ピン２０が係止される様になっている。又、前記スリット孔１９の先端部に前記ピン２０が係止された状態で、前記ハンドル１４を前記ピン２０を中心に、いずれか一方に倒すと、前記ハンドル１４は前記凹部１８の１つに嵌合し、前記固定ボルト１１はＬ字状となる。
【００２１】
而して、前記ハンドル１４を持って前記固定ボルト１１を回転することで、大きなトルクを伝達できる。
【００２２】
以下、アンテナの取付け姿勢を変更する場合について説明する。
【００２３】
図１、図２に於いて、倒伏状態のアンテナを起立状態に変更する場合、前記ハンドル１４を引出し、更に回転して前記凹部１８に嵌合させる。前記ハンドル収納部１６が所要の軸長を有するので、前記ハンドル１４と前記アンテナ保持具４との間には、前記ハンドル１４を握って回転させるに充分な距離がある。
【００２４】
前記固定ボルト１１を緩め、前記螺子孔２２ａから抜脱し、前記ブラケット２ｂと干渉しない様にすることで、前記アンテナ保持具４は回転可能となる。更に前記アンテナ支柱９と共に回転させ、アンテナを起立状態とする。尚、前記固定ボルト１１が前記円弧孔１２内を移動し、終端位置となると、前記螺子孔２２ｂに合致するので、前記固定ボルト１１は前記螺子孔２２ｂに螺着する。前記アンテナは起立状態となる。
【００２５】
アンテナの起立状態を固定する為、前記凹部１８に嵌合した前記ハンドル１４を介して前記固定ボルト１１を締込む。尚、前記ハンドル１４の倒す方向については、前記ベース１、或は電子機器取付け装置取付け面が邪魔にならない方向を適宜選択する。
【００２６】
アンテナの起立状態の固定が完了すると、前記ハンドル１４を引起し、前記固定ボルト１１を直線状態とし、前記ハンドル１４を前記ハンドル収納穴１７内に嵌入させる。
【００２７】
前記ハンドル１４の嵌入状態では、前記プランジャ２１が前記スリット孔１９の先端部に嵌合し、前記プランジャ２１の突出力で嵌合状態が維持され、前記ハンドル１４は嵌入された状態に保持される。
【００２８】
尚、前記螺子孔２２を所定ピッチで穿設しておけば、所望の角度に傾けた状態にアンテナを固定可能であることは言う迄もない。
【００２９】
図７は他の実施の形態を示している。
【００３０】
他の実施の形態では、ブラケット２，２の一方に円弧孔１２を穿設し、アンテナ保持具４に螺子孔２２（図示せず）を穿設し、固定ボルト１１は前記アンテナ保持具４に螺着する様にしたものである。この場合、前記固定ボルト１１は前記アンテナ保持具４と回転し、前記円弧孔１２内を摺動する。前記固定ボルト１１を締込むことで前記アンテナ保持具４は固定され、又アンテナは前記円弧孔１２の範囲で任意の位置に固定することができる。
【００３１】
図８は更に他の実施の形態を示している。
【００３２】
回転軸３が前記ブラケット２，２を貫通して設けられ、前記回転軸３にアンテナ保持具４が回転自在に設けられている。前記回転軸３とは所要距離離れた位置、図示では上側に固定ボルト１１が平行に設けられ、該固定ボルト１１は手前のブラケット２を貫通し、向いのブラケット２（図示せず）に螺着する様になっている。又、前記アンテナ保持具４には前記回転軸３を中心とした円弧孔１２が穿設されており、前記固定ボルト１１は前記円弧孔１２を貫通し、該円弧孔１２に対して摺動自在となっている。
【００３３】
而して、前記アンテナ保持具４は、前記固定ボルト１１を緩めた状態で、前記回転軸３を中心に回転自在となり、前記固定ボルト１１を締込むことで、前記ブラケット２，２間に挾持され、固定される様になっている。又、アンテナは前記円弧孔１２の範囲で任意の位置に固定可能である。
【００３４】
上述した様に、前記固定ボルト１１は前記ハンドル１４を介して回転できるので、大きなトルクで締込みが可能であり、更に前記ハンドル１４は前記固定ボルト１１の一部であり、前記ハンドル収納穴１７内に収納される構造であるので、アンテナ固定後は邪魔にならず、又何時でも使用ができ、別途工具を必要としない。
【図面の簡単な説明】
【００３５】
【図１】本発明の実施の形態を示す右側面図である。
【図２】本発明の実施の形態を示す左側面図である。
【図３】本発明の実施の形態を示す平面図である。
【図４】本発明の実施の形態を示す正面図である。
【図５】本発明に使用される固定ボルトの側面図である。
【図６】本発明に使用される固定ボルトの平面図である。
【図７】本発明の他の実施の形態を示す側面図である。
【図８】本発明の更に他の実施の形態を示す側面図である。
【符号の説明】
【００３６】
１              ベース
２ａ            ブラケット
２ｂ            ブラケット
３              回転軸
４              アンテナ保持具
９              アンテナ支柱
１１            固定ボルト
１２            円弧孔
１３            ボルト本体
１４            ハンドル
１５            ネジ部
１６            ハンドル収納部
１７            ハンドル収納穴
１８            凹部
１９            スリット孔
２０            ピン
２１            プランジャ
２２ａ          螺子孔
２２ｂ          螺子孔
【図１】
0004652989.tif 000002
【図２】
0004652989.tif 000003
【図３】
0004652989.tif 000004
【図４】
0004652989.tif 000005
【図５】
0004652989.tif 000006
【図６】
0004652989.tif 000007
【図７】
0004652989.tif 000008
【図８】
0004652989.tif 000009